(57)【要約】【課題】複数ページから成る紙媒体を撮影する場合にページ毎に撮影指示操作を行ったり、撮影可能範囲を調整したりするこうことなく、単にページをめくるだけでその撮影画像をページ毎に適切に保存できるようにする。【解決手段】図７（１）〜（３）に示すように、紙媒体が撮影される毎にその新たな撮影画像を今回の撮影画像としてＡバッファに記憶すると共に、それまで今回の撮影画像として記憶されていた画像を前回の撮影画像としてＢバッファに記憶する動作を実行している場合に、今回の撮影画像を解析することによってページめくりの状態であるか否かを判別し、ページめくりの状態であれば（図７（４）、（５）参照）、Ｂバッファ３ｄ内に記憶されている前回の撮影画像を保存対象として決定する（図７（６）参照）。【選択図】  図７
2013255166.tif 000002
【特許請求の範囲】
【請求項１】
複数ページから成る紙媒体に記載されている情報を撮影する撮像手段を備えた画像読取装置であって、
前記撮像手段により読取対象としての紙媒体が撮影される毎にその新たな撮影画像を今回の撮影画像として記憶すると共に、それまで今回の撮影画像として記憶されていた画像を前回の撮影画像として記憶する一時記憶手段と、
前記一時記憶手段に記憶されている今回の撮影画像を解析することによってページめくりの状態であるか否かを判別するめくり判別手段と、
前記めくり判別手段によりページめくりの状態であると判別された際に、前記一時記憶手段に記憶されている前回の撮影画像を保存対象として決定する決定手段と、
を備えたことを特徴とする画像読取装置。
【請求項２】
前記めくり判別手段は、前記紙媒体の各ページに付記されているマークを認識し、そのマークの認識結果に基づいてページめくりの状態であるか否かを判別する、
ようにしたことを特徴とする請求項１記載の画像読取装置。
【請求項３】
前記めくり判別手段は、前記撮像手段の撮影範囲内に前記紙媒体を見開いた２ページ分の情報が収まっている状態において撮影された今回の撮影画像を解析することにより見開いた各ページにそれぞれ付記されているマークを認識した際に、その認識した各マークの関連性に基づいてページめくりの状態であるか否かを判別する、
ようにしたことを特徴とする請求項２記載の画像読取装置。
【請求項４】
前記めくり判別手段は、見開いた各ページにそれぞれ付記されているマーク同士の関連性として、それらのマークが同一であれば、ページめくりの状態ではないと判別し、異なれば、ページめくりの状態であると判別する、
ようにしたことを特徴とする請求項３記載の画像読取装置。
【請求項５】
前記めくり判別手段によりページめくりの状態であると判別された際に、前記一時記憶手段に記憶されている今回の撮影画像を消去する、
ようにしたことを特徴とする請求項１〜請求項４のいずれかに記載の画像読取装置。
【請求項６】
前記撮像手段に対して紙媒体の撮影終了を指示する終了指示に応じて前記決定手段は、前記一時記憶手段に記憶されている前回の撮影画像を保存対象として決定する、
ようにしたことを特徴とする請求項１〜請求項５のいずれかに記載の画像読取装置。
【請求項７】
前記めくり判別手段は、前記今回の撮影画像と前記前回の撮影画像とを解析することによって両方の画像の変化状態からページめくりが行われたか否かを判別する、
ようにしたことを特徴とする請求項１に記載の画像読取装置。
【請求項８】
前記めくり判別手段は、前記今回の撮影画像と前記前回の撮影画像とを解析する際に、各撮影画像内の複数の領域の内容を比較することによってその複数領域のうち画像が変化している領域数に基づいてページめくりが行われたか否かを判別する、
ようにしたことを特徴とする請求項７に記載の画像読取装置。
【請求項９】
装置本体の姿勢を検出する検出手段と、
前記検出手段によって検出された姿勢が所定の姿勢である場合に、前記撮像手段による撮影を許可する第１の撮影制御手段と、
を更に備える、
ようにしたことを特徴とする請求項１〜請求項８のいずれかに記載の画像読取装置。
【請求項１０】
当該画像読取装置は、携帯端末装置であり、
前記携帯端末装置本体が起立し、かつ前記撮像手段が当該端末装置本体の上側部に配置されている状態において、前記第１の撮影制御手段は、前記検出手段によって前記携帯端末装置本体が起立している状態であることが検出された場合に、当該装置本体の下側部に接近配置されている前記紙媒体の撮影を許可する、
ようにしたことを特徴とする請求項９に記載の画像読取装置。
【請求項１１】
複数ページから成る紙媒体に対するページめくりの速さに合わせて撮影間隔が異なる複数の画像読取モードの中から任意の画像読取モードを選択指定するモード指定手段と、
前記モード指定手段により指定された画像読取モードに応じた撮影間隔となるように前記撮像手段による撮影タイミングを制御する第２の撮影制御手段と、
を更に備える、
ようにしたことを特徴とする請求項１〜請求項１０のいずれかに記載の画像読取装置。
【請求項１２】
コンピュータに対して、
複数ページから成る紙媒体を読取対象としてその紙媒体に記載されている情報を撮影する撮像手段により当該紙媒体が撮影される毎に、その新たな撮影画像を今回の撮影画像として一時記憶すると共に、それまで今回の撮影画像として記憶されていた画像を前回の撮影画像として一時記憶している状態において、前記一時記憶されている今回の撮影画像を解析することによってページめくりの状態であるか否かを判別する機能と、
前記ページめくりの状態であると判別された際に、前記一時記憶されている前回の撮影画像を保存対象として決定する機能と、
を実現させるためのプログラム。
【発明の詳細な説明】
【技術分野】
【０００１】
本発明は、複数ページから成る紙媒体（例えば、ノートブックや書籍）に記載されている情報を撮影する撮像手段を備えた画像読取装置及びプログラムに関する。
【背景技術】
【０００２】
一般に、ノートブックなどの紙媒体に記載されている情報を読み取る画像読取装置としては、その紙媒体をスキャナで走査することによってイメージデータとして読み取ったり、デジタルカメラで撮影することによって撮影画像として読み取ったりするようにしている。ここで、スキャナで読み取る場合に紙媒体は、冊子の状態（製本状態）ではなく、１枚（シート状）であることが必要であり、また、デジタルカメラで読み取る場合に紙媒体は、冊子の状態あってもよいが、撮影者にあってはページを１ページ毎にめくりながら撮影を行う必要があった。
【０００３】
このようにページをめくりながら撮影を行う技術として、従来では、例えば、ページがめくられたことを検出した後に、撮像部によって撮影された画像内の文字（ページ数）を認識し、保存済みの画像と撮影画像とが同一のページ数でないことを条件に、その撮影画像を本記録するようにした技術が知られている（特許文献１参照）。なお、この技術にあっては、撮影者が書籍を持ち、重力を利用しながらページをパラパラとめくっている状態において、画像内の水平ライン（ページの端辺部分）が下降して安定したか否かに基づいてページめくりの終了を検出するようにしている。
【先行技術文献】
【特許文献】
【０００４】
【特許文献１】特開２０１２−６５２６１号公報
【発明の概要】
【発明が解決しようとする課題】
【０００５】
しかしながら、上述した特許文献１の技術にあっては、保存済みの画像と今回の撮影画像とが同一のページ数であれば、その撮影画像を本記録しないようにした技術であるが、例えば、文字や図表などをノートブックに記入しながらそのページを撮影するような場合に、新たに文字や図表などが記入されたとしても、保存済みの画像と今回の撮影画像とのページ数の同一が検出されるために、今回の撮影画像が本記録されないまま無視されてしまう。このことは、紙媒体がノートブックの場合に限った問題ではなく、書籍の中に手書きで追記しながらページ撮影を行う場合であっても同様の問題が起きる。
【０００６】
本発明の課題は、複数ページから成る紙媒体を撮影する場合にページ毎に撮影指示操作を行ったり、撮影可能範囲を調整したりすることなく、単にページをめくるだけでその撮影画像をページ毎に適切に保存できるようにすることである。
【課題を解決するための手段】
【０００７】
上述した課題を解決するために本発明の画像読取装置は、
複数ページから成る紙媒体に記載されている情報を撮影する撮像手段を備えた画像読取装置であって、
前記撮像手段により紙媒体が撮影される毎にその新たな撮影画像を今回の撮影画像として記憶すると共に、それまで今回の撮影画像として記憶されていた画像を前回の撮影画像として記憶する一時記憶手段と、
前記一時記憶手段に記憶されている今回の撮影画像を解析することによってページめくりの状態であるか否かを判別するめくり判別手段と、
前記めくり判別手段によりページめくりの状態であると判別された際に、前記一時記憶手段に記憶されている前回の撮影画像を保存対象として決定する決定手段と、
を備えたことを特徴とする画像読取装置である。
【０００８】
上述した課題を解決するために本発明のプログラムは、
コンピュータに対して、
複数ページから成る紙媒体に記載されている情報を撮影する撮像手段により紙媒体が撮影される毎に、その新たな撮影画像を今回の撮影画像として一時記憶すると共に、それまで今回の撮影画像として記憶されていた画像を前回の撮影画像として一時記憶している状態において、前記一時記憶されている今回の撮影画像を解析することによってページめくりの状態であるか否かを判別する機能と、
前記ページめくりの状態であると判別された際に、前記一時記憶されている前回の撮影画像を保存対象として決定する機能と、
を実現させるためのプログラムである。
【発明の効果】
【０００９】
本発明によれば、複数ページから成る紙媒体を撮影する場合にページ毎に撮影指示操作を行ったり、撮影可能範囲を調整したりすることなく、単にページをめくるだけでその撮影画像をページ毎に適切に保存することができ、利便性及び確実性に富んだものとなる。
【図面の簡単な説明】
【００１０】
【図１】画像読取装置として適用した撮像機能（デジタルカメラ）を備えたタブレット端末装置の基本的な構成要素を示したブロック図。
【図２】（１）は、タブレット端末装置１１を本体カバー１２で保護している状態、（２）は、本体カバー１２を利用してタブレット端末装置１１を起立させた状態、（３）は、起立させたタブレット端末装置１１を正面方向から見た状態を示した図。
【図３】起立させた状態のタブレット端末装置１１の足元に読取対象の紙媒体（ノート）１３を配置してその紙媒体を撮影する場合に、この撮像部６の画角と紙媒体１３との関係を説明するための図。
【図４】（１）〜（３）は、紙媒体１３を見開いた状態においてその左右ページの所定位置に付記されているマークＭを説明するための図。
【図５】画像読取キー４ｂによって画像読取機能（ノート読取機能）が指定された際に実行開始されるフローチャート。
【図６】図５の動作に続くフローチャート。
【図７】（１）〜（１０）は、時間経過に応じて変遷するＡバッファ３ｃ及びＢバッファ３ｄの内容を例示した図。
【図８】第２実施形態の特徴を説明するための図。
【図９】第２実施形態において、図５のフローに続く動作を示したフローチャート。
【発明を実施するための形態】
【００１１】
以下、本発明の実施の形態について、図面を参照して詳細に説明する。
（実施形態１）
先ず、図１〜図７を参照して本発明の第１実施形態を説明する。
本実施形態は、画像読取装置として撮像機能（デジタルカメラ）を備えたタブレット端末装置に適用した場合を例示したもので、図１は、このカメラ付きタブレット端末装置の基本的な構成要素を示したブロック図である。
タブレット端末装置は、例えば、その全体がＡ５サイズの携帯型の情報端末装置であり、タッチ入力機能、無線通信機能などの基本機能のほか、後で詳述するが、このタブレット端末装置に接近配置されている紙媒体（見開き状に設置されているノートブック）を撮影することによりそのノートブックに記入されている情報（文字や図表など）を読み取る画像読取機能（ノート読取機能）を備え、制御部１を中核とする構成となっている。
【００１２】
制御部１は、電源部（二次電池）２からの電力供給によって動作し、記憶部３内の各種のプログラムに応じてこのタブレット端末装置の全体動作を制御するもので、この制御部１には図示しないＣＰＵ（中央演算処理装置）やメモリなどが設けられている。記憶部３は、例えば、ＲＯＭ、フラッシュメモリなどを有する構成で、後述する図５及び図６に示した動作手順に応じて本実施形態を実現するためのプログラムや各種のアプリケーションなどが格納されているプログラムメモリ３ａと、このタブレット端末装置が動作するため２に必要となる各種の情報（例えば、フラグなど）を一時的に記憶するワークメモリ３ｂと、後述するＡバッファ３ｃ及びＢバッファ３ｄなどを有している。なお、記憶部３は、例えば、ＳＤカード、ＩＣカードなど、着脱自在な可搬型メモリ（記録メディア）を含む構成であってもよく、図示しないが、通信機能を介してネットワークに接続されている状態においては所定のサーバ装置側の記憶領域を含むものであってもよい。
【００１３】
操作部４は、押しボタン式のキーとして、電源をオン／オフさせる電源キー４ａ、画像読取機能（ノート読取機能）を起動させたり終了させたりする画像読取キー４ｂなどを備え、制御部１は、この操作部４から操作キーに対応して出力される入力操作信号に応じた処理を行う。タッチ表示部５は、表示パネル５ａにタッチパネル５ｂを積層配設した構成で、表示パネル５ａは、縦横比（例えば、横４：縦３）の異なる画面を有した高精細液晶ディスプレイあるいは有機ＥＬ（Electro Luminescence）ディスプレイである。タッチパネル５ｂは、撮影者の指などでタッチ操作された位置を検知してその座標データを入力するタッチスクリーンを構成するもので、例えば、静電容量方式あるいは抵抗皮膜方式を採用しているが、その他の方式であってもよい。
【００１４】
撮像部６は、画像読取機能（ノート読取機能）を構成するもので、図示省略したが、光学レンズからの被写体像が撮像素子（ＣＣＤやＣＭＯＳなど）に結像されることにより被写体を高精細に撮影可能なカメラ部で、撮影レンズ、撮像素子、各種のセンサ、アナログ処理部、デジタル処理部を有している。撮像部６は、例えば、フレームレートが秒１５コマ（１５ｆｐｓ）の連続撮影（高速撮影）が可能なもので、画像読取機能（ノート読取機能）の動作時において制御部１は、新たに撮影された１フレーム分の撮影画像をＡバッファ３ｃに今回の撮影画像として一時記憶させると共に、それまでにＡバッファ３ｃに一時記憶されていた撮影画像をＢバッファ３ｄに前回の撮影画像として転送して一時記憶させるようにしている。
【００１５】
無線ＬＡＮ（Local  Area  Network）通信部７は、高速大容量の通信が可能な無線通信モジュールで、最寄りの無線ＬＡＮルータ（図示省略）を介してインターネットに接続可能となっている。加速度センサ８は、例えば、３軸タイプの加速度センサで、互いに直交する３軸方向（Ｘ・Ｙ・Ｚ方向）の加速度成分、つまり、３軸に対してかかる加速度の大きさに比例した電圧値を出力するもので、その検出値に応じて筐体（装置本体）の姿勢（傾きや向き）を検出する姿勢センサである。画像読取機能（ノート読取機能）の動作時において制御部１は、この加速度センサ８による検出結果を参照し、筐体（装置本体）が画像読取機能（ノート読取機能）に適した姿勢であるかを判別するようにしている。
【００１６】
図２（１）は、タブレット端末装置１１を本体カバー１２で保護した状態を示した図で、図２（２）は、本体カバー１２を利用してタブレット端末装置１１を斜めに起立させた状態を示した図である。すなわち、タブレット端末装置１１の筐体はその全体が薄型直方体を成し、図２（２）は、その筐体を横長の向きにして、その短辺方向をやや寝かせて（後ろ側に倒して）起立させた状態を示し、その起立状態をその一側方向から見た側面図である。本体カバー１２は、所定位置（例えば、２箇所）で折り曲げ可能な構成となっている。すなわち、図２（２）に示すように、本体カバー１２は、その頂点部分と背面中央部分の２か所で折り曲げ可能となっており、それらの箇所で折り曲げることにより起立させた状態のタブレット端末装置１１をその背後から支持可能な構成となっている。
【００１７】
図２（３）は、図２（２）に示したようにタブレット端末装置１１を横長の向きにして、その短辺方向をやや寝かせて起立させた状態をその正面方向から見た概略斜視図である。図２（３）に示すようにタブレット端末装置１１を横長の向きにして、起立させた状態において、その筐体の正面側の略全領域にはタッチ表示部５が配置されている。また、筐体の正面側においてその上端中央部には撮像部（デジタルカメラ）６が配置されている。なお、図示省略したが、本体カバー１２の一部に紙媒体の配置位置を案内するためのマークやラインなどを印刷しておくようにしてもよい。
【００１８】
図３は、タブレット端末装置１１を横長の向きにして、その短辺方向をやや寝かせた起立状態において、その足元（下側部近辺）に読取対象として紙媒体（ノートブック）１３を配置してその紙媒体を撮影する場合に、この撮像部６の画角と紙媒体１３との関係を説明するための図である。
撮像部６の画角は、紙媒体１３の大きさにもよるが、紙媒体１３の大きさに相当する領域を撮影可能範囲とするもので、タブレット端末装置１１の足元で紙媒体１３が左右ページを見開いた状態で配置されている場合には、その見開いた状態の左右ページが撮影可能範囲となる。撮像部６は、紙媒体１３の種類（大きさ、紙質、色など）に応じて画角、露出、ホワイトバランスなどを調整可能としている。
【００１９】
図４は、紙媒体（ノートブック）１３を見開いた状態においてその左右ページの所定位置に付記されているマークＭを説明するための図である。
紙媒体１３を構成する各ページの所定位置（ページの下角部）には、所定のマークＭがそれぞれ付加されている。すなわち、紙媒体１３を見開いた状態においてその左ページの左下隅部と右ページの右下隅部には、同一内容のマークＭが付加されているが、他の見開きの左右ページには異なる内容のマークＭが付加されている。例えば、図４（１）に示す見開きの左右ページ（ｎページ、ｎ＋１ページ）には、円形のマークＭが付加され、図４（２）に示すように次の見開きの左右ページ（ｎ＋２ページ、ｎ＋３ページ）には、菱型のマークＭが付加され、図４（３）に示すように更に次の見開き左右ページ（ｎ＋４ページ、ｎ＋５ページ）には、十字型のマークＭが付加されている。
【００２０】
同様に、以下に続く見開きの左右ページには、円形、菱型、十字型のマークＭの順に、つまり、円形マークの次の見開きページには菱型マーク、菱型マークの次の見開きページには十字型マーク、十字型マークの次の見開きページには円形マーク、…のように、円形、菱型、十字型のマークＭは、連続する見開きページに対してサイクリックに付加されている。なお、紙媒体１３にマークＭを付加する手段としては、マークＭを予め印刷しておく場合に限らず、ユーザが必要に応じてマーク付シールを紙媒体１３に添付するようにしてもよい。なお、図中、マークＭを明瞭に示すために紙媒体１３に比べて大きく表現するようにしたが、実際にはマークＭが目立たないようにそのサイズが小さなものを使用するようにしている。
【００２１】
このように紙媒体１３の各ページにマークＭが付加されている状態において、撮像部６の撮影範囲内に紙媒体を見開いた２ページ分の情報が収まるようにその左右ページが撮影されると、制御部１は、撮影された今回の撮影画像を解析することにより見開いた各ページにそれぞれ付記されているマークＭを認識し、その認識した各マークＭの関連性に基づいてページめくりの状態（ページめくり中）であるか否かを判別するようにしている。すなわち、左右ページのマークＭが同一種類で同一形状のマークであれば、ページめくりされていない状態であると判断するが、左右ページのマークＭの種類が異なっていたり、種類が同一であってもその形状が異なっていたりするときには、ページめくりされている状態（ページめくり中）であると判断するようにしている。
【００２２】
すなわち、ページをめくることによってそのページのマークが変形して見えたり、見えなくなったり、後方ページのマークが出現したりするが、このようにページめくりによってマークの見え方が変わったり、後方ページのマークが出現したりすることを利用して制御部１は、その状態を検出することによりページめくりが行われたか否を判別するようにしている。例えば、円形マークであっても、ページをめくることによってそのページのマークが変形したり、一部が欠けていたりするときには、同一種類のマークＭであっても同一形状のマークではないと判断し、また、マークＭを突然認識することができなくなったり、後方ページのマークの一部と重なり合ってしまったりした場合にも同一形状のマークではないと判別する。
【００２３】
なお、第１実施形態においては、見開きの左右ページの各マークＭが同一種類で同一形状のマークであるか否かに応じてページめくりが行われているかを判別するようにしているが、マークＭの種類のみから、つまり、見開きの左右ページの各マークＭが同一種類であるかに応じてページめくりが行われているかを判別するようにしてもよい。このような判別の結果、制御部１は、ページめくりされている状態であると判別したときには、Ｂバッファ３ｄ内に一時記憶されている前回の撮影画像を保存対象の画像として決定して、記憶部３のＳＤカードに記録保存させるようにしている。
【００２４】
次に、第１実施形態におけるタブレット端末装置１１の動作概念を図５及び図６に示すフローチャートを参照して説明する。ここで、これらのフローチャートに記述されている各機能は、読取可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
なお、図５及び図６は、タブレット端末装置１１の全体動作のうち、本実施形態の特徴部分の動作概要を示したフローチャートであり、この図５及び図６のフローから抜けた際には、全体動作のメインフロー（図示省略）に戻る。
【００２５】
図５及び図６は、画像読取キー４ｂによって画像読取機能（ノート読取機能）が指定された際に実行開始されるフローチャートである。
以下、この画像読取機能（ノート読取機能）の動作を図７（１）〜（１０）を参照して具体的に説明するものとする。この図７（１）〜（１０）は、時間経過に応じて変遷するＡバッファ３ｃ及びＢバッファ３ｄの内容を例示した図で、各画像の向きは、ユーザから見た場合を示している。なお、ユーザにあっては、画像読取キー４ｂを操作することにより画像読取機能（ノート読取機能）を起動させた後に、授業の進行に合わせて授業内容などをノートに加筆しながらページを順次めくるようにしている。
【００２６】
先ず、制御部１は、画像読取機能が起動されると、加速度センサ８を起動させてその検出結果を取得し（図５のステップＳ１）、筐体の姿勢が画像読取に適した姿勢であるか、つまり、タブレット端末装置１１を横長の向きにして、その短辺方向をやや寝かせた起立状態（画像読取に適した状態）であるかを判別する（ステップＳ２）。いま、画像読取に適した状態でなければ（ステップＳ２でＮＯ）、筐体の姿勢を画像読取に適した状態に変更すべきことをユーザに知らせるためにタッチ表示部５にその旨のメッセージを表示（ステップＳ３）させた後、上述のステップＳ１に戻り、姿勢が変更されるまで上述の動作が繰り返される。
【００２７】
これによって画像読取に適した姿勢であることを検出すると（ステップＳ２でＹＥＳ）、高速めくり読取モード（高速読取モード）に切り換えられているかを調べる（ステップＳ４）。ここで、高速めくり読取モードとは、いわゆるパラパラめくりが行われる場合、つまり、複数のページが高速（例えば、１ページ／１秒）で連続してめくられる場合に、画像を高速で読み取ってまとめて保存する際に使用される読取モードであるが、高速めくり読取モードでなければ、高速めくり以外の通常読取モードであると判断する。いま、通常読取モードであれば（ステップＳ４でＮＯ）、撮影間隔を遅く（例えば、５０ｍｓ）に設定するが（ステップＳ６）、高速めくり読取モードであれば（ステップＳ４でＹＥＳ）、撮影間隔を速く（例えば、１５ｍｓ）に設定する（ステップＳ５）。そして、撮影開始を指示する操作が行われたかを調べたり（ステップＳ７）、読取モードの変更を指示する操作が行われたかを調べたりする（ステップＳ８）。ここで、読取モードの変更を指示する操作が行われたときには（ステップＳ８でＹＥＳ）、上述のステップＳ４に戻り、変更後の読取モードに応じて撮影間隔を設定し直す処理を行う（ステップＳ５、Ｓ６）。
【００２８】
いま、撮影開始を指示する操作が行われたときには（ステップＳ７でＹＥＳ）、上述の設定時間毎に撮像部６での撮影を開始させる（ステップＳ９）。そして、図６のフローに移り、Ａバッファ３ｃ及びＢバッファ３ｄの内容をクリアする初期化０処理（ステップＳ１０）を行った後、画像読取機能（ノート読取機能）の終了を指示する操作が行われたかを調べる（ステップＳ１１）。ここで、読取終了操作が行われなければ（ステップＳ１１でＮＯ）、上述の設定時間毎に撮影する撮像部６から１フレーム分の撮影画像を取得し（ステップＳ１２）、その取得した画像をＡバッファ３ｃに今回の撮影画像として一時記憶させる（ステップＳ１３）。
【００２９】
そして、この今回の撮影画像を解析することによってその左右ページの所定位置にそれぞれ付加されている各マークＭを認識し（ステップＳ１４）、この左右ページの各マークＭは、同一種類で同一形状のマークであるかを調べる（ステップＳ１５）。すなわち、同一種類（例えば、円形、菱型、十字型など）のマークであるかを調べると共に、同一種類のマークＭであっても同一形状のマークであるかを調べる。読取開始当初では、左右ページの各マークＭが同一種類で同一形状のマークであることが検出されるので（ステップＳ１５でＹＥＳ）、ページめくりが行われていないと判断して次のステップＳ１６に移り、Ｂバッファ３ｄ内に撮影画像が一時記憶されているかを調べるが、上述の初期化処理の直後では、Ｂバッファ３ｄの内容がクリアされているので（ステップＳ１６でＮＯ）、次のステップＳ２１に移る。例えば、図７（１）に示すようにＡバッファ３ｃ内には今回の撮影画像が記憶されているが、Ｂバッファ３ｄには撮影画像が記憶されない状態にあるので、ステップＳ１６でそのことが検出されて次のステップＳ２１に移る。ここでは、Ａバッファ３ｃの内容をＢバッファ３ｄに転送することによりＢバッファ３ｄの内容を更新する処理を行う。図７（２）は、Ａバッファ３ｃ内の撮影画像をＢバッファ３ｄ内に転送した直後の状態を示している。
【００３０】
その後、上述のステップＳ１１に戻り、上述の設定時間毎に撮影する撮像部６から１フレーム分の撮影画像を取得し（ステップＳ１２）、その取得した画像をＡバッファ３ｃに今回の撮影画像として一時記憶させる（ステップＳ１３）。図７（３）は、この場合のＡバッファ３ｃ及びＢバッファ３ｄの内容を示している。ここで、今回の撮影画像内においてその左右ページの各マークＭが同一種類で同一形状のマークであり（ステップＳ１５でＹＥＳ）、かつ、Ｂバッファ３ｄ内に画像が記憶されていることを条件に（ステップＳ１６でＹＥＳ）、このＡバッファ３ｃ内の画像（今回の撮影画像）とＢバッファ３ｄ内の画像（前回の撮影画像）の各マークＭ同士を比較し（ステップＳ１７）、両方のマークＭは異なるかを調べる（ステップＳ１８）。図７（３）の場合には両方のマークＭが同一であるので（ステップＳ１８でＮＯ）、Ａバッファ３ｃの内容をＢバッファ３ｄに転送することによりＢバッファ３ｄの内容を更新する処理を行う（ステップＳ２１）。その後、上述のステップＳ１１に戻る。
【００３１】
同様に、撮像部６から１フレーム分の撮影画像を取得し（ステップＳ１２）、その取得した画像をＡバッファ３ｃに今回の撮影画像として一時記憶させて（ステップＳ１３）、この今回の撮影画像内における左右ページの各マークＭは同一種類で同一形状のマークであるかを調べるが（ステップＳ１４、Ｓ１５）、この場合、図７（４）に示すように左右ページの各マークＭの種類が異なれば（ステップＳ１８でＮＯ）、ページめくりが行われているものと判断する。このようにページめくりが行われているものと判断すると、次のステップＳ２２に移り、Ａバッファ３ｃ内の画像（今回の撮影画像）を無視するためにＡバッファ３ｃの内容をクリアする。図７（５）は、Ａバッファ３ｃの内容をクリアした場合を示している。
【００３２】
その後、上述のステップＳ１１に戻り、上述と同様に、撮像部６から１フレーム分の撮影画像を取得し（ステップＳ１２）、その取得した画像をＡバッファ３ｃに今回の撮影画像として一時記憶させる（ステップＳ１３）。図７（６）は、この場合のＡバッファ３ｃ及びＢバッファ３ｄの内容を示している。この場合、Ａバッファ３ｃ内の画像（今回の撮影画像）とＢバッファ３ｄ内の画像（前回の撮影画像）との各マークＭを比較した結果、両方のマークＭが異なるので（ステップＳ１８でＹＥＳ）、Ｂバッファ３ｄ内の画像（前回の撮影画像）を保存対象として決定し（ステップＳ１９）、この決定画像を記憶部３のＳＤカードに記録保存させる（ステップＳ２０）。そして、次のステップＳ２１に移り、Ａバッファ３ｃの内容をＢバッファ３ｄに転送することによりＢバッファ３ｄの内容を更新する処理を行う。図７（７）は、この場合の状態を示している。
【００３３】
図７（８）は、図７（３）の場合と同様に、Ａバッファ３ｃに記憶された今回の撮影画像の各マークＭがＢバッファ３ｄに記憶されている前回の撮影画像の各マークＭと同一の場合である。図７（９）は、図７（４）の場合と同様に、今回の撮影画像内においてその左右ページの各マークＭの種類が異なってページめくりが行われているものと判断された場合である。以下、上述と同様の動作が行われる結果、ページめくりを検出しなければ、Ｂバッファ３ｄの内容を更新するが、ページめくりを検出したときには、Ｂバッファ３ｄ内の画像（前回の撮影画像）を保存対象として決定し、この決定画像を記憶部３のＳＤカードに記録保存させる。
【００３４】
このような動作が行われた後に、画像読取機能（ノート読取機能）の動作の終了を指示する操作が行われたときには（ステップＳ１１でＹＥＳ）、Ｂバッファ３ｄ内の画像（前回の撮影画像）を保存対象として決定し（ステップＳ２３）、この決定画像を記憶部３のＳＤカードに記録保存させる（ステップＳ２４）。その後、図５及び図６のフローから抜ける。図７（１０）は、画像読取の終了操作が行われた場合を示している。
【００３５】
以上のように、第１実施形態において制御部１は、撮像部６により紙媒体が撮影される毎にその新たな撮影画像を今回の撮影画像としてＡバッファ３ｃに記憶すると共に、それまでにＡバッファ３ｃに今回の撮影画像として記憶されていた画像を前回の撮影画像としてＢバッファ３ｄに記憶する動作を行っている場合に、今回の撮影画像を解析することによってページめくりの状態であるか否かを判別し、ページめくりの状態であれば、Ｂバッファ３ｄ内に記憶されている前回の撮影画像を保存対象として決定するようにしたので、複数ページから成る紙媒体を撮影する場合にページ毎に撮影指示操作を行ったり、撮影可能範囲を調整したりすることなく、単にページをめくるだけでその撮影画像をページ毎に適切に保存することができ、利便性及び確実性に富んだものとなる。
【００３６】
また、読取対象である紙媒体１３がノートブックの場合、前回の撮影画像にはページをめくる直前までノートブックに書き込んでいた記入内容も全て含まれていることになり、ページに書き入れている途中の画像が保存されることはなく、ページ毎に保存される撮影画像は適切なものとなる。また、保存画像はページをめくる直前の画像であるために、つまり、ノートブックに書き込んでいる手をノートブックから離してページをめくる動作に移るために、ページをめくる指先が画像内に写り込むことがあったとしても筆記具を握っている筆記状態の手がそのまま画像内に写り込むことはなくなる。
【００３７】
制御部１は、紙媒体１３の各ページに付記されているマークを認識し、そのマークの認識結果に基づいてページめくりの状態であるか否かを判別するようにしたので、ページめくりの判別が容易かつ的確なものとなり、ページめくりの判別を間違えることによる不具合を防ぐことが可能となる。
【００３８】
制御部１は、紙媒体１３を見開いた２ページ分の情報が収まっている状態において、撮影された今回の撮影画像を解析することにより見開いた各ページにそれぞれ付記されているマークを認識した際に、その認識した各マークの関連性（同一か否か）に基づいてページめくりの状態であるか否かを判別するようにしたので、マークの関連性によってページめくりを的確に判別することができる。
【００３９】
見開いた各ページにそれぞれ付記されているマーク同士の関連性として、それらのマークが同一（例えば、同一種類で同一形状）であれば、ページめくりの状態ではないと判別し、異なれば、ページめくりの状態であると判別するようにしたので、マークが同一か否かによってページめくりを的確に判別することができる。
【００４０】
制御部１は、ページめくりの状態であると判別した際に、Ａバッファ３ｃ内に記憶されている今回の撮影画像を消去するようにしたので、ページめくりの最中に撮影された画像（保存に相応しくない画像）がＡバッファ３ｃ内からＢバッファ３ｄに転送されて保存されることを確実に防ぐことができ、ページめくりの直前で撮影された適切な撮影画像だけを保存することが可能となる。
【００４１】
画像読取の終了操作に応じてＢバッファ３ｄ内の前回の撮影画像を保存対象として決定するようにしたので、ノートブックに書き込んだ最後のページまで保存することが可能となる。
【００４２】
加速度センサ８によって検出された装置本体の姿勢が所定の姿勢である場合に、撮像部６による撮影を行うようにしたので、その姿勢に応じて決められている画角、焦点、露出などで撮影を行うことができ、画角、焦点、露出などの調整が不要となる。
【００４３】
装置本体の姿勢として、タブレット端末装置１１を横長の向きにして、その短辺方向をやや寝かせた起立状態である場合に、撮像部６は、タブレット端末装置１１の下側部（足元）に接近配置されている紙媒体１３を撮影するようにしたので、紙媒体１３を常に上方から撮影することができ、ノートブックに書き込みながらの撮影に適したものとなる。
【００４４】
いわゆるパラパラめくりの高速めくり読取モードと、高速めくり以外の通常読取モードとを任意に選択可能とすると共に、読取モードに応じた撮影間隔となるように撮像部６の撮影タイミングを制御するようにしたので、選択モードに応じた画像読取が可能となり、利便性を向上させることができる。
【００４５】
なお、上述した第１実施形態においては、今回の撮影画像内においてその各マークＭの関連性として、同一種類で同一形状としたが、上述したようにマークＭの関連性としては、同一種類か否かを判別するようにしてもよい。更に、同一種類のマークであってもマークの大きさやマークの配置位置が同一であるか否かに基づいてページめくりの状態であるか否かを判別するようにしてもよい。例えば、マークの形状とマークの配置位置との組み合わせに基づいて判別するようにしてもよい。
【００４６】
上述した第１実施形態においては、マークＭの種類として円形、菱型、十字型を例示したが、これに限らず、どのような種類であってもよい。また、マークＭとしては、図形や記号に限らず、例えば、文字、数字であってもよく、勿論、紙媒体内に印刷されているページ数（連番）であってもよい。
【００４７】
上述した第１実施形態においては、Ａバッファ３ｃ及びＢバッファ３ｄ内に１フレーム分の撮影画像を順次記憶するようにしたが、連続する複数フレーム分の撮影画像を一時記憶するようにしてもよい。この場合、Ａバッファ３ｃ、Ｂバッファ３ｄ毎に複数フレーム分の撮影画像の中からその中間点の撮影画像を特定して各マークＭを比較するようにしてもよい。
【００４８】
（第２実施形態）
以下、この発明の第２実施形態について図８及び図９を参照して説明する。
なお、上述した第１実施形態においては、紙媒体１３を見開いた左右ページに付記されているマークＭを認識し、そのマークＭの認識結果に基づいてページめくりの状態であるか否かを判別するようにしたが、この第２実施形態においては、紙媒体１３を見開いた左右ページに文字、図表などを書き入れた記入状態を認識して、今回の撮影画像と前回の撮影画像との記入状態を比較し、その比較結果（記入の変化状態）に基づいてページめくりが行われたか否かを判別するようにしたものである。ここで、両実施形態において基本的あるいは名称的に同一のものは、同一符号を付して示し、その説明を省略すると共に、以下、第２実施形態の特徴部分を中心に説明するものとする。
【００４９】
図８は、第２実施形態の特徴を説明するための図である。
第２実施形態においては、紙媒体１３を見開いた左右ページが撮像部６によって撮影された場合に、その撮影画像を解析することにより文字、図表などがノートブックに書き入れられた記入状態として、例えば、書き入れられた箇所のアウトライン形状、つまり、文字群の桁方向や行方向のサイズ、図表の桁方向や行方向のサイズに応じたアウトライン形状を認識するようにしているが、ページ全体を認識するのではなく、書き入れられる可能性の高い一部の領域のみに絞って認識を行うようにしている。
【００５０】
図示の例において、左ページにはその左上角部の領域（Ａ領域）と中央左上寄りの領域（Ｂ領域）を書き入れの可能性が高い領域として設定した場合、同様に、右ページにはその左上角部の領域（Ｃ領域）と中央左上寄りの領域（Ｄ領域）を書き入れられる可能性の高い領域として設定した場合である。これらの領域は、予めメーカサイドなどで固定的に決められた領域である。このように見開きの左右ページ上に複数の領域としてＡ〜Ｄ領域が設定されている状態において、今回撮影された画像を解析してそのＡ〜Ｄ領域毎に書き入れられた記入状態（記入箇所のアウトライン形状）を認識し、前回撮影された画像のＡ〜Ｄ領域毎の記入状態と比較することにより、対応する領域同士の記入状態が一致しているかを領域毎に判別する。そして、一致する領域数を数え、その領域数が所定値（例えば、３、つまり、４領域中３領域）以上か否かに基づいてページめくりが行われたか否かを判別するようにしている。
【００５１】
図９は、図５のフローに続く動作を示したフローチャートで、第１実施形態の図６に代わるフローチャートである。なお、図６と基本的に同様の部分はその説明を簡単に行うものとする。
先ず、第１実施形態と同様に、Ａバッファ３ｃ及びＢバッファ３ｄをクリアする初期化処理を行う（ステップＳ１００）。ここで、読取終了操作が行われなければ（ステップＳ１０１でＮＯ）、撮像部６から１フレーム分の撮影画像を取得し（ステップＳ１０２）、その取得した画像をＡバッファ３ｃに今回の撮影画像として一時記憶させる（ステップＳ１０３）。
【００５２】
次に、今回の撮影された画像を解析することによって見開きの左右ページ内のＡ領域〜Ｄ領域毎にその記入状態（記入箇所のアウトライン形状）を認識する処理（ステップＳ１０４）を行った後、Ｂバッファ３ｄ内に撮影画像が一時記憶されているかを調べる（ステップＳ１０５）。いま、上述の初期化処理の直後では、Ｂバッファ３ｄの内容がクリアされているので（ステップＳ１０５でＮＯ）、次のステップＳ１１０に移り、Ａバッファ３ｃ内の撮影画像をＢバッファ３ｄに転送することによりＢバッファ３ｄの内容を更新する処理を行う。そして、今回の撮影画像を解析することにより認識された領域毎の記入状態を前回の撮影画像に対する領域毎の記入状態とするために、Ａバッファ対応の記入状態をＢバッファ３ｄ対応の記入状態として一時記憶する処理を行う（ステップＳ１１１）。
【００５３】
その後、上述のステップＳ１０１に戻り、読取終了指示があるまで撮像部６から１フレーム分の撮影画像を取得し（ステップＳ１０２）、その取得した画像をＡバッファ３ｃに今回の撮影画像として一時記憶（ステップＳ１０３）させた後、今回撮影された画像を解析してそのＡ〜Ｄ領域毎に書き入れられた記入状態を認識する処理を行う（ステップＳ１０４）。ここで、Ｂバッファ３ｄ内に撮影画像が一時記憶されていので（ステップＳ１０５でＹＥＳ）、次のステップＳ１０６に移り、Ａバッファ３ｃに対応する記入状態とＢバッファ３ｄに対応する記入状態とを領域毎に比較する。ここで、対応する領域同士の記入状態が一致（略一致、例えば、９０％以上の一致）しているかを領域毎に判別して、一致する領域数を数え、その領域数が所定値（例えば、「３」）以上か否かに基づいてページめくりが行われたか否かを判別する（ステップＳ１０７）。
【００５４】
この結果、一致する領域数が所定数の３以上であれば（ステップＳ１０７でＹＥＳ）、つまり、少なくても４領域中３領域の内容が変化していなければ、ページめくりが行われていないと判別して、次のステップＳ１１０に移り、Ａバッファ３ｃ内の撮影画像をＢバッファ３ｄに転送することによりＢバッファ３ｄの内容を更新する処理を行うと共に、Ａバッファ対応の記入状態をＢバッファ３ｄ対応の記入状態として一時記憶する処理を行う（ステップＳ１１１）。
【００５５】
また、一致する領域数が所定数の３未満であれば（ステップＳ１０７でＮＯ）、少なくても４領域中２領域の内容が変化していれば、ページめくりが行われたと判別してステップＳ１０８に移り、Ｂバッファ３ｄ内の画像（前回の撮影画像）を保存対象として決定し、この決定画像を記憶部３のＳＤカードに記録保存させる（ステップ１０９）。そして、Ａバッファ３ｃ内の撮影画像をＢバッファ３ｄに転送することによりＢバッファ３ｄの内容を更新する処理を行うと共に（ステップＳ１１０）、Ａバッファ対応の記入状態をＢバッファ３ｄ対応の記入状態として一時記憶する処理を行う（ステップＳ１１１）。その後、ステップＳ１０１に戻る。以下、以下、上述の動作を繰り返すが、画像読取機能（ノート読取機能）の動作の終了を指示する操作が行われたときには（ステップＳ１０１でＹＥＳ）、Ｂバッファ３ｄ内の画像（前回の撮影画像）を保存対象として決定し（ステップＳ１１２）、この決定画像を記憶部３のＳＤカードに記録保存させる（ステップＳ１１３）。その後、図９のフローから抜ける。
【００５６】
以上のように、第２実施形態において制御部１は、今回の撮影画像と前回の撮影画像との記入状態を比較し、その比較結果（記入の変化状態）に基づいてページめくりが行われたか否かを判別するようにしたので、ノートに書き入れられた記入状態（記入の変化状態）からページめくりを容易かつ確実に検出することができる。
【００５７】
今回の撮影画像と前回の撮影画像とを解析する際に、各撮影画像内の複数領域の内容を比較することによってその複数領域のうち画像が変化している領域数に基づいてページめくりが行われたか否かを判別するようにしたので、見開きの左右ページの全体を認識するのではなく、書き入れられる可能性の高い一部の領域のみに絞って認識することができ、認識効率を高めることができる。
【００５８】
なお、上述した第２実施形態においては、見開いた左右ページ内の複数領域として、予めメーカサイドで決められているＡ領域〜Ｄ領域を固定的に設定するようにしたが、領域の数や領域の大きさは、これに限らず、また、ユーザ操作により任意に設定された領域であってもよい。更に、ノートブックへの書き入れ具合（書き入れ量）に応じて各領域をどこに設定するかを動的に決めるようにしてもよい。
【００５９】
また、上述した各実施形態においては、画像読取装置としてタブレット端末装置１１に適用した場合を示したが、これに限らず、撮像機能付きのパーソナルコンピュータ・ＰＤＡ（個人向け携帯型情報通信機器）・デジタルカメラ・音楽プレイヤー、携帯電話などであってもよく、勿論、デジタルカメラ自体であってもよい。
【００６０】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００６１】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
複数ページから成る紙媒体に記載されている情報を撮影する撮像手段を備えた画像読取装置であって、
前記撮像手段により読取対象としての紙媒体が撮影される毎にその新たな撮影画像を今回の撮影画像として記憶すると共に、それまで今回の撮影画像として記憶されていた画像を前回の撮影画像として記憶する一時記憶手段と、
前記一時記憶手段に記憶されている今回の撮影画像を解析することによってページめくりの状態であるか否かを判別するめくり判別手段と、
前記めくり判別手段によりページめくりの状態であると判別された際に、前記一時記憶手段に記憶されている前回の撮影画像を保存対象として決定する決定手段と、
を備えたことを特徴とする画像読取装置である。
（請求項２）
請求項２に記載の発明は、請求項１に記載の画像読取装置において、
前記めくり判別手段は、前記紙媒体の各ページに付記されているマークを認識し、そのマークの認識結果に基づいてページめくりの状態であるか否かを判別する、
ようにしたことを特徴とする画像読取装置である。
（請求項３）
請求項３に記載の発明は、請求項２に記載の画像読取装置において、
前記めくり判別手段は、前記撮像手段の撮影範囲内に前記紙媒体を見開いた２ページ分の情報が収まっている状態において撮影された今回の撮影画像を解析することにより見開いた各ページにそれぞれ付記されているマークを認識した際に、その認識した各マークの関連性に基づいてページめくりの状態であるか否かを判別する、
ようにしたことを特徴とする画像読取装置。
（請求項４）
請求項４に記載の発明は、請求項３に記載の画像読取装置において、
前記めくり判別手段は、見開いた各ページにそれぞれ付記されているマーク同士の関連性として、それらのマークが同一であれば、ページめくりの状態ではないと判別し、異なれば、ページめくりの状態であると判別する、
ようにしたことを特徴とする画像読取装置である。
（請求項５）
請求項５に記載の発明は、請求項１〜請求項４のいずれかに記載の画像読取装置において、
前記めくり判別手段によりページめくりの状態であると判別された際に、前記一時記憶手段に記憶されている今回の撮影画像を消去する、
ようにしたことを特徴とする画像読取装置である。
（請求項６）
請求項６に記載の発明は、請求項１〜請求項５のいずれかに記載の画像読取装置において、
前記撮像手段に対して紙媒体の撮影終了を指示する終了指示に応じて前記決定手段は、前記一時記憶手段に記憶されている前回の撮影画像を保存対象として決定する、
ようにしたことを特徴とする画像読取装置である。
（請求項７）
請求項７に記載の発明は、請求項１に記載の画像読取装置において、
前記めくり判別手段は、前記今回の撮影画像と前記前回の撮影画像とを解析することによって両方の画像の変化状態からページめくりが行われたか否かを判別する、
ようにしたことを特徴とする画像読取装置である。
（請求項８）
請求項８に記載の発明は、請求項７に記載の画像読取装置において、
前記めくり判別手段は、前記今回の撮影画像と前記前回の撮影画像とを解析する際に、各撮影画像内の複数の領域の内容を比較することによってその複数領域のうち画像が変化している領域数に基づいてページめくりが行われたか否かを判別する、
ようにしたことを特徴とする画像読取装置である。
（請求項９）
請求項９に記載の発明は、請求項１〜請求項８のいずれかに記載の画像読取装置において、
装置本体の姿勢を検出する検出手段と、
前記検出手段によって検出された姿勢が所定の姿勢である場合に、前記撮像手段による撮影を許可する第１の撮影制御手段と、
を更に備える、
ようにしたことを特徴とする画像読取装置である。
（請求項１０）
請求項１０に記載の発明は、請求項９に記載の画像読取装置において、
当該画像読取装置は、携帯端末装置であり、
前記携帯端末装置本体が起立し、かつ前記撮像手段が当該端末装置本体の上側部に配置されている状態において、前記第１の撮影制御手段は、前記検出手段によって前記携帯端末装置本体が起立している状態であることが検出された場合に、当該装置本体の下側部に接近配置されている前記紙媒体の撮影を許可する、
ようにしたことを特徴とする画像読取装置である。
（請求項１１）
請求項１１に記載の発明は、請求項１〜請求項１０のいずれかに記載の画像読取装置において、
複数ページから成る紙媒体に対するページめくりの速さに合わせて撮影間隔が異なる複数の画像読取モードの中から任意の画像読取モードを選択指定するモード指定手段と、
前記モード指定手段により指定された画像読取モードに応じた撮影間隔となるように前記撮像手段による撮影タイミングを制御する第２の撮影制御手段と、
を更に備える、
ようにしたことを特徴とする画像読取装置である。
（請求項１２）
請求項１２に記載の発明は、
コンピュータに対して、
複数ページから成る紙媒体を読取対象としてその紙媒体に記載されている情報を撮影する撮像手段により当該紙媒体が撮影される毎に、その新たな撮影画像を今回の撮影画像として一時記憶すると共に、それまで今回の撮影画像として記憶されていた画像を前回の撮影画像として一時記憶している状態において、前記一時記憶されている今回の撮影画像を解析することによってページめくりの状態であるか否かを判別する機能と、
前記ページめくりの状態であると判別された際に、前記一時記憶されている前回の撮影画像を保存対象として決定する機能と、
を実現させるためのプログラム。
【符号の説明】
【００６２】
１  制御部
３  記憶部
３ａ  プログラムメモリ
３ｂ  ワークメモリ
３ｃ  Ａバッファ
３ｄ  Ｂバッファ
４  操作部
４ｂ  画像読取キー
５  タッチ表示部
６  撮像部
８  加速度センサ
１１  タブレット端末装置
１３  紙媒体（ノート）
Ｍ  マーク
【図１】
2013255166.tif 000003
【図２】
2013255166.tif 000004
【図３】
2013255166.tif 000005
【図４】
2013255166.tif 000006
【図５】
2013255166.tif 000007
【図６】
2013255166.tif 000008
【図７】
2013255166.tif 000009
【図８】
2013255166.tif 000010
【図９】
2013255166.tif 000011